(57)【要約】【課題】表示装置にオブジェクトを効率的に表示させ、オブジェクトを容易に判別すること。【解決手段】オリジナルオブジェクト４０1〜４０7を表示装置の画面に対して角度θ１回転させ、該オリジナルオブジェクト４０1〜４０7に比べて表示面積が小とされたスキューオブジェクト４５1〜４５7を生成するステップと、スキューオブジェクト４５1〜４５7を表示装置に表示させるステップと、表示装置に表示されているスキューオブジェクト４５1〜４５7のうちいずれか一つのスキューオブジェクトがカーソルにより指示された場合、スキューオブジェクトに代えて、オリジナルオブジェクトを表示させるステップとを含む。【選択図】        図２
2005190108.tif 000002
【特許請求の範囲】
【請求項１】
コンピュータに、
オリジナルオブジェクトを表示装置の画面に対して所定角度回転させ、該オリジナルオブジェクトに比べて表示面積が小とされた小面積オブジェクトを生成する生成工程と、
前記小面積オブジェクトを前記表示装置に表示させる小面積オブジェクト表示工程と、
を実行させるための表示制御プログラム。
【請求項２】
前記生成工程では、前記オリジナルオブジェクトにおける各辺のうち少なくとも一辺と、前記小面積オブジェクトにおける各辺のうち少なくとも一辺とが同長となるように、該小面積オブジェクトを生成することを特徴とする請求項１に記載の表示制御プログラム。
【請求項３】
前記生成工程では、前記小面積オブジェクトをさらに前記表示装置の前記画面において所定角度回転させることを特徴とする請求項１または２に記載の表示制御プログラム。
【請求項４】
前記生成工程では、複数のオリジナルオブジェクトを前記表示装置の前記画面に対して異なる角度で回転させ、対応するオリジナルオブジェクトに比べて前記表示面積が小とされた複数の小面積オブジェクトを生成することを特徴とする請求項１〜３のいずれか一つに記載の表示制御プログラム。
【請求項５】
前記生成工程では、前記オリジナルオブジェクトを前記表示装置の前記画面に対して、縦方向の軸を中心として所定角度回転させることを特徴とする請求項１〜４のいずれか一つに記載の表示制御プログラム。
【請求項６】
前記生成工程では、前記オリジナルオブジェクトを前記表示装置の前記画面に対して、横方向の軸を中心として所定角度回転させることを特徴とする請求項１〜４のいずれか一つに記載の表示制御プログラム。
【請求項７】
コンピュータに、
オリジナルオブジェクトを所定角度で折り曲げ、該オリジナルオブジェクトに比べて表示面積が小とされた小面積オブジェクトを生成する生成工程と、
前記小面積オブジェクトを表示装置に表示させる小面積オブジェクト表示工程と、
を実行させるための表示制御プログラム。
【請求項８】
前記生成工程では、前記オリジナルオブジェクトの複数箇所を所定角度で折り曲げることを特徴とする請求項７に記載の表示制御プログラム。
【請求項９】
コンピュータに、
オリジナルオブジェクトを所定曲率で曲げ、該オリジナルオブジェクトに比べて表示面積が小とされた小面積オブジェクトを生成する生成工程と、
前記小面積オブジェクトを表示装置に表示させる小面積オブジェクト表示工程と、
を実行させるための表示制御プログラム。
【請求項１０】
コンピュータに、
オリジナルオブジェクトの横サイズを所定の縮小率で縮小し、該オリジナルオブジェクトに比べて表示面積が小とされた小面積オブジェクトを生成する生成工程と、
前記小面積オブジェクトを表示装置に表示させる小面積オブジェクト表示工程と、
を実行させるための表示制御プログラム。
【請求項１１】
コンピュータに、
オリジナルオブジェクトの縦サイズを所定の縮小率で縮小し、該オリジナルオブジェクトに比べて表示面積が小とされた小面積オブジェクトを生成する生成工程と、
前記小面積オブジェクトを表示装置に表示させる小面積オブジェクト表示工程と、
を実行させるための表示制御プログラム。
【請求項１２】
前記生成工程では、前記小面積オブジェクトの横サイズをさらに所定の縮小率で縮小することを特徴とする請求項１〜１１のいずれか一つに記載の表示制御プログラム。
【請求項１３】
前記生成工程では、前記小面積オブジェクトの縦サイズをさらに所定の縮小率で縮小することを特徴とする請求項１〜１１のいずれか一つに記載の表示制御プログラム。
【請求項１４】
前記コンピュータに、前記表示装置に表示されている前記小面積オブジェクトが指示された場合、該小面積オブジェクトに代えて、前記オリジナルオブジェクトを表示させるオリジナルオブジェクト表示工程、を実行させることを特徴とする請求項１〜１３のいずれか一つに記載の表示制御プログラム。
【請求項１５】
前記オリジナルオブジェクト表示工程では、前記表示装置に表示されている前記小面積オブジェクトが指示された場合、該小面積オブジェクトに代えて、前記オリジナルオブジェクトを強調表示させることを特徴とする請求項１４に記載の表示制御プログラム。
【請求項１６】
前記オリジナルオブジェクト表示工程では、前記表示装置に表示されている前記小面積オブジェクトが指示された場合、該小面積オブジェクトに代えて、前記オリジナルオブジェクトが縮小された縮小オリジナルオブジェクトを表示させることを特徴とする請求項１４に記載の表示制御プログラム。
【請求項１７】
オリジナルオブジェクトを表示装置の画面に対して所定角度回転させ、該オリジナルオブジェクトに比べて表示面積が小とされた小面積オブジェクトを生成する生成工程と、
前記小面積オブジェクトを前記表示装置に表示させる小面積オブジェクト表示工程と、
を含むことを特徴とする表示制御方法。
【請求項１８】
前記生成工程では、前記オリジナルオブジェクトにおける各辺のうち少なくとも一辺と、前記小面積オブジェクトにおける各辺のうち少なくとも一辺とが同長となるように、該小面積オブジェクトを生成することを特徴とする請求項１７に記載の表示制御方法。
【請求項１９】
前記生成工程では、前記小面積オブジェクトをさらに前記表示装置の前記画面において所定角度回転させることを特徴とする請求項１７または１８に記載の表示制御方法。
【請求項２０】
前記生成工程では、複数のオリジナルオブジェクトを前記表示装置の前記画面に対して異なる角度で回転させ、対応するオリジナルオブジェクトに比べて前記表示面積が小とされた複数の小面積オブジェクトを生成することを特徴とする請求項１７〜１９のいずれか一つに記載の表示制御方法。
【請求項２１】
前記生成工程では、前記オリジナルオブジェクトを前記表示装置の前記画面に対して、縦方向の軸を中心として所定角度回転させることを特徴とする請求項１７〜２０のいずれか一つに記載の表示制御方法。
【請求項２２】
前記生成工程では、前記オリジナルオブジェクトを前記表示装置の前記画面に対して、横方向の軸を中心として所定角度回転させることを特徴とする請求項１７〜２０のいずれか一つに記載の表示制御方法。
【請求項２３】
オリジナルオブジェクトを所定角度で折り曲げ、該オリジナルオブジェクトに比べて表示面積が小とされた小面積オブジェクトを生成する生成工程と、
前記小面積オブジェクトを表示装置に表示させる小面積オブジェクト表示工程と、
を含むことを特徴とする表示制御方法。
【請求項２４】
前記生成工程では、前記オリジナルオブジェクトの複数箇所を所定角度で折り曲げることを特徴とする請求項２３に記載の表示制御方法。
【請求項２５】
オリジナルオブジェクトを所定曲率で曲げ、該オリジナルオブジェクトに比べて表示面積が小とされた小面積オブジェクトを生成する生成工程と、
前記小面積オブジェクトを表示装置に表示させる小面積オブジェクト表示工程と、
を含むことを特徴とする表示制御方法。
【請求項２６】
オリジナルオブジェクトの横サイズを所定の縮小率で縮小し、該オリジナルオブジェクトに比べて表示面積が小とされた小面積オブジェクトを生成する生成工程と、
前記小面積オブジェクトを表示装置に表示させる小面積オブジェクト表示工程と、
を含む事を特徴とする表示制御方法。
【請求項２７】
オリジナルオブジェクトの縦サイズを所定の縮小率で縮小し、該オリジナルオブジェクトに比べて表示面積が小とされた小面積オブジェクトを生成する生成工程と、
前記小面積オブジェクトを表示装置に表示させる小面積オブジェクト表示工程と、
を含むことを特徴とする表示制御方法。
【請求項２８】
前記生成工程では、前記小面積オブジェクトの横サイズをさらに所定の縮小率で縮小することを特徴とする請求項１７〜２７のいずれか一つに記載の表示制御方法。
【請求項２９】
前記生成工程では、前記小面積オブジェクトの縦サイズをさらに所定の縮小率で縮小することを特徴とする請求項１７〜２７のいずれか一つに記載の表示制御方法。
【請求項３０】
前記表示装置に表示されている前記小面積オブジェクトが指示された場合、該小面積オブジェクトに代えて、前記オリジナルオブジェクトを表示させるオリジナルオブジェクト表示工程、を含むことを特徴とする請求項１７〜２９のいずれか一つに記載の表示制御方法。
【請求項３１】
前記オリジナルオブジェクト表示工程では、前記表示装置に表示されている前記小面積オブジェクトが指示された場合、該小面積オブジェクトに代えて、前記オリジナルオブジェクトを強調表示させることを特徴とする請求項３０に記載の表示制御方法。
【請求項３２】
前記オリジナルオブジェクト表示工程では、前記表示装置に表示されている前記小面積オブジェクトが指示された場合、該小面積オブジェクトに代えて、前記オリジナルオブジェクトが縮小された縮小オリジナルオブジェクトを表示させることを特徴とする請求項３０に記載の表示制御方法。
【請求項３３】
オリジナルオブジェクトを表示装置の画面に対して所定角度回転させ、該オリジナルオブジェクトに比べて表示面積が小とされた小面積オブジェクトを生成する生成手段と、
前記小面積オブジェクトを前記表示装置に表示させる小面積オブジェクト表示手段と、
を備えたことを特徴とする表示制御装置。
【請求項３４】
前記生成手段は、前記オリジナルオブジェクトにおける各辺のうち少なくとも一辺と、前記小面積オブジェクトにおける各辺のうち少なくとも一辺とが同長となるように、該小面積オブジェクトを生成することを特徴とする請求項３３に記載の表示制御装置。
【請求項３５】
前記生成手段は、前記小面積オブジェクトをさらに前記表示装置の前記画面において所定角度回転させることを特徴とする請求項３３または３４に記載の表示制御装置。
【請求項３６】
前記生成手段は、複数のオリジナルオブジェクトを前記表示装置の前記画面に対して異なる角度で回転させ、対応するオリジナルオブジェクトに比べて前記表示面積が小とされた複数の小面積オブジェクトを生成することを特徴とする請求項３３〜３５のいずれか一つに記載の表示制御装置。
【請求項３７】
前記生成手段は、前記オリジナルオブジェクトを前記表示装置の前記画面に対して、縦方向の軸を中心として所定角度回転させることを特徴とする請求項３３〜３６のいずれか一つに記載の表示制御装置。
【請求項３８】
前記生成手段は、前記オリジナルオブジェクトを前記表示装置の前記画面に対して、横方向の軸を中心として所定角度回転させることを特徴とする請求項３３〜３６のいずれか一つに記載の表示制御装置。
【請求項３９】
オリジナルオブジェクトを所定角度で折り曲げ、該オリジナルオブジェクトに比べて表示面積が小とされた小面積オブジェクトを生成する生成手段と、
前記小面積オブジェクトを表示装置に表示させる小面積オブジェクト表示手段と、
を備えたことを特徴とする表示制御装置。
【請求項４０】
前記生成手段は、前記オリジナルオブジェクトの複数箇所を所定角度で折り曲げることを特徴とする請求項３９に記載の表示制御装置。
【請求項４１】
オリジナルオブジェクトを所定曲率で曲げ、該オリジナルオブジェクトに比べて表示面積が小とされた小面積オブジェクトを生成する生成手段と、
前記小面積オブジェクトを表示装置に表示させる小面積オブジェクト表示手段と、
を備えたことを特徴とする表示制御装置。
【請求項４２】
オリジナルオブジェクトの横サイズを所定の縮小率で縮小し、該オリジナルオブジェクトに比べて表示面積が小とされた小面積オブジェクトを生成する生成手段と、
前記小面積オブジェクトを表示装置に表示させる小面積オブジェクト表示手段と、
を備えた事を特徴とする表示制御装置。
【請求項４３】
オリジナルオブジェクトの縦サイズを所定の縮小率で縮小し、該オリジナルオブジェクトに比べて表示面積が小とされた小面積オブジェクトを生成する生成手段と、
前記小面積オブジェクトを表示装置に表示させる小面積オブジェクト表示手段と、
を備えたことを特徴とする表示制御装置。
【請求項４４】
前記生成手段は、前記小面積オブジェクトの横サイズをさらに所定の縮小率で縮小することを特徴とする請求項３３〜４３のいずれか一つに記載の表示制御装置。
【請求項４５】
前記生成手段は、前記小面積オブジェクトの縦サイズをさらに所定の縮小率で縮小することを特徴とする請求項３３〜４３のいずれか一つに記載の表示制御装置。
【請求項４６】
前記表示装置に表示されている前記小面積オブジェクトが指示された場合、該小面積オブジェクトに代えて、前記オリジナルオブジェクトを表示させるオリジナルオブジェクト表示手段、を備えたことを特徴とする請求項３３〜４５のいずれか一つに記載の表示制御装置。
【請求項４７】
前記オリジナルオブジェクト表示手段は、前記表示装置に表示されている前記小面積オブジェクトが指示された場合、該小面積オブジェクトに代えて、前記オリジナルオブジェクトを強調表示させることを特徴とする請求項４６に記載の表示制御装置。
【請求項４８】
前記オリジナルオブジェクト表示手段は、前記表示装置に表示されている前記小面積オブジェクトが指示された場合、該小面積オブジェクトに代えて、前記オリジナルオブジェクトが縮小された縮小オリジナルオブジェクトを表示させることを特徴とする請求項４６に記載の表示制御装置。
【発明の詳細な説明】
【技術分野】
【０００１】
本発明は、画像やアイコン等のオブジェクトの表示制御に用いて好適な表示制御プログラム、表示制御方法および表示制御装置に関するものであり、特に、表示装置にオブジェクトを効率的に表示させ、オブジェクトを容易に判別することができる表示制御プログラム、表示制御方法および表示制御装置を提供することを目的とする。
【背景技術】
【０００２】
図２３は、従来の表示制御装置における表示例１を示す図である。従来の表示制御装置は、ＬＣＤ（Liquid Crystal Display）やＣＲＴ（Cathode Ray Tube）等の表示装置１に、画像、アイコン等のオブジェクトを表示する場合の制御を行う装置である。
【０００３】
同図において、表示制御装置は、表示指示があると、表示装置１に、例えば、画像としてのオリジナルオブジェクト２1〜２3を横方向に並べて表示させる。なお、オリジナルオブジェクト２1〜２3は、大きいサイズのオブジェクトが縮小されたサムネイル画像であってもよい。
【０００４】
ここで、表示装置１におけるオブジェクトの表示可能面積が限られているため、表示装置１に、より多くのオブジェクトを表示させる場合、表示制御装置は、オリジナルオブジェクトを縮小し、表示させる。
【０００５】
具体的には、図２４に示したように、複数のオリジナルオブジェクト（図示略）の縦サイズおよび横サイズを共に同一の縮小率でそれぞれ縮小した縮小オブジェクト３1〜３8を生成し、これらを表示装置１に並べて表示させる。
【０００６】
【特許文献１】特開平８−１４９３８４号公報
【発明の開示】
【発明が解決しようとする課題】
【０００７】
ところで、従来の表示制御装置においては、図２４に示したように、オリジナルオブジェクトに対して、縦サイズおよび横サイズが縮小された縮小オブジェクト３1〜３8を使用することにより、表示装置１に表示可能な数が、オリジナルオブジェクト（図２３参照）よりも多くなる。
【０００８】
しかしながら、従来の表示制御装置においては、表示可能な数が多くなるという利点がある反面、１つ１つの縮小オブジェクトが肉眼で判別しにくくなるという欠点を有している。
【０００９】
本発明は、上記に鑑みてなされたものであって、表示装置にオブジェクトを効率的に表示させ、オブジェクトを容易に判別することができる表示制御プログラム、表示制御方法および表示制御装置を提供することを目的とする。
【課題を解決するための手段】
【００１０】
上述した課題を解決し、目的を達成するために、本発明は、コンピュータに、オリジナルオブジェクトを表示装置の画面に対して所定角度回転させ、該オリジナルオブジェクトに比べて表示面積が小とされた小面積オブジェクトを生成する生成工程と、前記小面積オブジェクトを前記表示装置に表示させる小面積オブジェクト表示工程と、を実行させるための表示制御プログラムである。
【００１１】
この発明によれば、オリジナルオブジェクトを表示装置の画面に対して所定角度回転させ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができる。
【００１２】
また、本発明は、上記発明において、前記生成工程では、前記オリジナルオブジェクトにおける各辺のうち少なくとも一辺と、前記小面積オブジェクトにおける各辺のうち少なくとも一辺とが同長となるように、該小面積オブジェクトを生成することを特徴とする。
【００１３】
この発明によれば、オリジナルオブジェクトにおける各辺のうち少なくとも一辺と、小面積オブジェクトにおける各辺のうち少なくとも一辺とが同長となるように、小面積オブジェクトを生成することとしたので、従来のように縦横サイズが縮小された縮小オブジェクトに比べて、小面積オブジェクトを容易に判別することができる。
【００１４】
また、本発明は、上記発明において、前記生成工程では、前記小面積オブジェクトをさらに前記表示装置の前記画面において所定角度回転させることを特徴とする。
【００１５】
この発明によれば、小面積オブジェクトをさらに表示装置の画面において所定角度回転させることとしたので、例えば、小面積オブジェトの縦サイズ（または横サイズ）が小さくなり、表示装置の画面における縦方向（または横方向）に表示可能領域を増やすことができ、さらに小面積オブジェクトを効率的に表示させることができる。
【００１６】
また、本発明は、上記発明において、前記生成工程では、複数のオリジナルオブジェクトを前記表示装置の前記画面に対して異なる角度で回転させ、対応するオリジナルオブジェクトに比べて前記表示面積が小とされた複数の小面積オブジェクトを生成することを特徴とする。
【００１７】
この発明によれば、複数のオリジナルオブジェクトを表示装置の画面に対して異なる角度で回転させ、対応するオリジナルオブジェクトに比べて表示面積が小とされた複数の小面積オブジェクトを生成することとしたので、表示にバリエーションを持たせることができる。
【００１８】
また、本発明は、上記発明において、前記生成工程では、前記オリジナルオブジェクトを前記表示装置の前記画面に対して、縦方向の軸を中心として所定角度回転させることを特徴とする。
【００１９】
この発明によれば、オリジナルオブジェクトを表示装置の画面に対して、縦方向の軸を中心として所定角度回転させることとしたので、横サイズが小さくなり、小面積オブジェクトを横方向に多数並べて効率的に表示させることができる。
【００２０】
また、本発明は、上記発明において、前記生成工程では、前記オリジナルオブジェクトを前記表示装置の前記画面に対して、横方向の軸を中心として所定角度回転させることを特徴とする。
【００２１】
この発明によれば、オリジナルオブジェクトを表示装置の画面に対して、横方向の軸を中心として所定角度回転させることとしたので、縦サイズが小さくなり、小面積オブジェクトを縦方向に多数並べて効率的に表示させることができる。
【００２２】
また、本発明は、コンピュータに、オリジナルオブジェクトを所定角度で折り曲げ、該オリジナルオブジェクトに比べて表示面積が小とされた小面積オブジェクトを生成する生成工程と、前記小面積オブジェクトを表示装置に表示させる小面積オブジェクト表示工程と、を実行させるための表示制御プログラムである。
【００２３】
この発明によれば、オリジナルオブジェクトを所定角度で折り曲げ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができる。
【００２４】
また、本発明は、上記発明において、前記生成工程では、前記オリジナルオブジェクトの複数箇所を所定角度で折り曲げることを特徴とする。
【００２５】
この発明によれば、オリジナルオブジェクトの複数箇所を所定角度で折り曲げることとしたので、さらに表示面積が小さくなり、小面積オブジェクトをさらに効率的に表示装置に表示させることができる。
【００２６】
また、本発明は、コンピュータに、オリジナルオブジェクトを所定曲率で曲げ、該オリジナルオブジェクトに比べて表示面積が小とされた小面積オブジェクトを生成する生成工程と、前記小面積オブジェクトを表示装置に表示させる小面積オブジェクト表示工程と、を実行させるための表示制御プログラムである。
【００２７】
この発明によれば、オリジナルオブジェクトを所定曲率で曲げ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができる。
【００２８】
また、本発明は、コンピュータに、オリジナルオブジェクトの横サイズを所定の縮小率で縮小し、該オリジナルオブジェクトに比べて表示面積が小とされた小面積オブジェクトを生成する生成工程と、前記小面積オブジェクトを表示装置に表示させる小面積オブジェクト表示工程と、を実行させるための表示制御プログラムである。
【００２９】
この発明によれば、オリジナルオブジェクトの横サイズを所定の縮小率で縮小し、オリジナルオブジェクトに比べて表示面積が小とされた小面積オブジェクトを生成し、小面積オブジェクトを表示装置に表示させることとしたので、小面積オブジェクトを横方向に多数並べて効率的に表示させることができる。
【００３０】
また、本発明は、コンピュータに、オリジナルオブジェクトの縦サイズを所定の縮小率で縮小し、該オリジナルオブジェクトに比べて表示面積が小とされた小面積オブジェクトを生成する生成工程と、前記小面積オブジェクトを表示装置に表示させる小面積オブジェクト表示工程と、を実行させるための表示制御プログラムである。
【００３１】
この発明によれば、オリジナルオブジェクトの縦サイズを所定の縮小率で縮小し、オリジナルオブジェクトに比べて表示面積が小とされた小面積オブジェクトを生成し、小面積オブジェクトを表示装置に表示させることとしたので、小面積オブジェクトを縦方向に多数並べて効率的に表示させることができる。
【００３２】
また、本発明は、上記発明において、前記生成工程では、前記小面積オブジェクトの横サイズをさらに所定の縮小率で縮小することを特徴とする。
【００３３】
この発明によれば、小面積オブジェクトの横サイズをさらに所定の縮小率で縮小することとしたので、小面積オブジェクトを横方向にさらに多数並べて効率的に表示させることができる。
【００３４】
また、本発明は、上記発明において、前記生成工程では、前記小面積オブジェクトの縦サイズをさらに所定の縮小率で縮小することを特徴とする。
【００３５】
この発明によれば、小面積オブジェクトの縦サイズをさらに所定の縮小率で縮小することとしたので、小面積オブジェクトを縦方向にさらに多数並べて効率的に表示させることができる。
【００３６】
また、本発明は、上記発明において、前記コンピュータに、前記表示装置に表示されている前記小面積オブジェクトが指示された場合、該小面積オブジェクトに代えて、前記オリジナルオブジェクトを表示させるオリジナルオブジェクト表示工程、を実行させることを特徴とする。
【００３７】
この発明によれば、小面積オブジェクトが指示された場合、小面積オブジェクトに代えて、オリジナルオブジェクトを表示させることとしたので、指示対象のオブジェクトを一目瞭然に判別することができる。
【００３８】
また、本発明は、上記発明において、前記オリジナルオブジェクト表示工程では、前記表示装置に表示されている前記小面積オブジェクトが指示された場合、該小面積オブジェクトに代えて、前記オリジナルオブジェクトを強調表示させることを特徴とする。
【００３９】
この発明によれば、表示装置に表示されている小面積オブジェクトが指示された場合、該小面積オブジェクトに代えて、オリジナルオブジェクトを強調表示させることとしたので、指示対象のオブジェクトをさらに一目瞭然に判別することができる。
【００４０】
また、本発明は、上記発明において、前記オリジナルオブジェクト表示工程では、前記表示装置に表示されている前記小面積オブジェクトが指示された場合、該小面積オブジェクトに代えて、前記オリジナルオブジェクトが縮小された縮小オリジナルオブジェクトを表示させることを特徴とする。
【００４１】
この発明によれば、表示装置に表示されている小面積オブジェクトが指示された場合、該小面積オブジェクトに代えて、オリジナルオブジェクトが縮小された縮小オリジナルオブジェクトを表示させることとしたので、表示面積を節約しつつ指示対象のオブジェクトを一目瞭然に判別することができる。
【００４２】
また、本発明は、オリジナルオブジェクトを表示装置の画面に対して所定角度回転させ、該オリジナルオブジェクトに比べて表示面積が小とされた小面積オブジェクトを生成する生成工程と、前記小面積オブジェクトを前記表示装置に表示させる小面積オブジェクト表示工程と、を含むことを特徴とする。
【００４３】
本発明によれば、オリジナルオブジェクトを表示装置の画面に対して所定角度回転させ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができる。
【００４４】
また、本発明は、上記発明において、前記生成工程では、前記オリジナルオブジェクトにおける各辺のうち少なくとも一辺と、前記小面積オブジェクトにおける各辺のうち少なくとも一辺とが同長となるように、該小面積オブジェクトを生成することを特徴とする。
【００４５】
この発明によれば、オリジナルオブジェクトにおける各辺のうち少なくとも一辺と、小面積オブジェクトにおける各辺のうち少なくとも一辺とが同長となるように、小面積オブジェクトを生成することとしたので、従来のように縦横サイズが縮小された縮小オブジェクトに比べて、小面積オブジェクトを容易に判別することができる。
【００４６】
また、本発明は、上記発明において、前記生成工程では、前記小面積オブジェクトをさらに前記表示装置の前記画面において所定角度回転させることを特徴とする。
【００４７】
この発明によれば、小面積オブジェクトをさらに表示装置の画面において所定角度回転させることとしたので、例えば、小面積オブジェトの縦サイズ（または横サイズ）が小さくなり、表示装置の画面における縦方向（または横方向）に表示可能領域を増やすことができ、さらに小面積オブジェクトを効率的に表示させることができる。
【００４８】
また、本発明は、上記発明において、前記生成工程では、複数のオリジナルオブジェクトを前記表示装置の前記画面に対して異なる角度で回転させ、対応するオリジナルオブジェクトに比べて前記表示面積が小とされた複数の小面積オブジェクトを生成することを特徴とする。
【００４９】
この発明によれば、複数のオリジナルオブジェクトを表示装置の画面に対して異なる角度で回転させ、対応するオリジナルオブジェクトに比べて表示面積が小とされた複数の小面積オブジェクトを生成することとしたので、表示にバリエーションを持たせることができる。
【００５０】
また、本発明は、上記発明において、前記生成工程では、前記オリジナルオブジェクトを前記表示装置の前記画面に対して、縦方向の軸を中心として所定角度回転させることを特徴とする。
【００５１】
この発明によれば、オリジナルオブジェクトを表示装置の画面に対して、縦方向の軸を中心として所定角度回転させることとしたので、横サイズが小さくなり、小面積オブジェクトを横方向に多数並べて効率的に表示させることができる。
【００５２】
また、本発明は、上記発明において、前記生成工程では、前記オリジナルオブジェクトを前記表示装置の前記画面に対して、横方向の軸を中心として所定角度回転させることを特徴とする。
【００５３】
この発明によれば、オリジナルオブジェクトを表示装置の画面に対して、横方向の軸を中心として所定角度回転させることとしたので、縦サイズが小さくなり、小面積オブジェクトを縦方向に多数並べて効率的に表示させることができる。
【００５４】
また、本発明は、オリジナルオブジェクトを所定角度で折り曲げ、該オリジナルオブジェクトに比べて表示面積が小とされた小面積オブジェクトを生成する生成工程と、前記小面積オブジェクトを表示装置に表示させる小面積オブジェクト表示工程と、を含むことを特徴とする。
【００５５】
この発明によれば、オリジナルオブジェクトを所定角度で折り曲げ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができる。
【００５６】
また、本発明は、上記発明において、前記生成工程では、前記オリジナルオブジェクトの複数箇所を所定角度で折り曲げることを特徴とする。
【００５７】
この発明によれば、オリジナルオブジェクトの複数箇所を所定角度で折り曲げることとしたので、さらに表示面積が小さくなり、小面積オブジェクトをさらに効率的に表示装置に表示させることができる。
【００５８】
また、本発明は、オリジナルオブジェクトを所定曲率で曲げ、該オリジナルオブジェクトに比べて表示面積が小とされた小面積オブジェクトを生成する生成工程と、前記小面積オブジェクトを表示装置に表示させる小面積オブジェクト表示工程と、を含むことを特徴とする。
【００５９】
この発明によれば、オリジナルオブジェクトを所定曲率で曲げ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができる。
【００６０】
また、本発明は、オリジナルオブジェクトの横サイズを所定の縮小率で縮小し、該オリジナルオブジェクトに比べて表示面積が小とされた小面積オブジェクトを生成する生成工程と、前記小面積オブジェクトを表示装置に表示させる小面積オブジェクト表示工程と、を含む事を特徴とする。
【００６１】
この発明によれば、オリジナルオブジェクトの横サイズを所定の縮小率で縮小し、オリジナルオブジェクトに比べて表示面積が小とされた小面積オブジェクトを生成し、小面積オブジェクトを表示装置に表示させることとしたので、小面積オブジェクトを横方向に多数並べて効率的に表示させることができる。
【００６２】
また、本発明は、オリジナルオブジェクトの縦サイズを所定の縮小率で縮小し、該オリジナルオブジェクトに比べて表示面積が小とされた小面積オブジェクトを生成する生成工程と、前記小面積オブジェクトを表示装置に表示させる小面積オブジェクト表示工程と、を含むことを特徴とする。
【００６３】
この発明によれば、オリジナルオブジェクトの縦サイズを所定の縮小率で縮小し、オリジナルオブジェクトに比べて表示面積が小とされた小面積オブジェクトを生成し、小面積オブジェクトを表示装置に表示させることとしたので、小面積オブジェクトを縦方向に多数並べて効率的に表示させることができる。
【００６４】
また、本発明は、上記発明において、前記生成工程では、前記小面積オブジェクトの横サイズをさらに所定の縮小率で縮小することを特徴とする。
【００６５】
この発明によれば、小面積オブジェクトの横サイズをさらに所定の縮小率で縮小することとしたので、小面積オブジェクトを横方向にさらに多数並べて効率的に表示させることができる。
【００６６】
また、本発明は、上記発明において、前記生成工程では、前記小面積オブジェクトの縦サイズをさらに所定の縮小率で縮小することを特徴とする。
【００６７】
この発明によれば、小面積オブジェクトの縦サイズをさらに所定の縮小率で縮小することとしたので、小面積オブジェクトを縦方向にさらに多数並べて効率的に表示させることができる。
【００６８】
また、本発明は、上記発明において、前記表示装置に表示されている前記小面積オブジェクトが指示された場合、該小面積オブジェクトに代えて、前記オリジナルオブジェクトを表示させるオリジナルオブジェクト表示工程、を含むことを特徴とする。
【００６９】
この発明によれば、小面積オブジェクトが指示された場合、小面積オブジェクトに代えて、オリジナルオブジェクトを表示させることとしたので、指示対象のオブジェクトを一目瞭然に判別することができる。
【００７０】
また、本発明は、上記発明において、前記オリジナルオブジェクト表示工程では、前記表示装置に表示されている前記小面積オブジェクトが指示された場合、該小面積オブジェクトに代えて、前記オリジナルオブジェクトを強調表示させることを特徴とする。
【００７１】
この発明によれば、表示装置に表示されている小面積オブジェクトが指示された場合、該小面積オブジェクトに代えて、オリジナルオブジェクトを強調表示させることとしたので、指示対象のオブジェクトをさらに一目瞭然に判別することができる。
【００７２】
また、本発明は、上記発明において、前記オリジナルオブジェクト表示工程では、前記表示装置に表示されている前記小面積オブジェクトが指示された場合、該小面積オブジェクトに代えて、前記オリジナルオブジェクトが縮小された縮小オリジナルオブジェクトを表示させることを特徴とする。
【００７３】
この発明によれば、表示装置に表示されている小面積オブジェクトが指示された場合、該小面積オブジェクトに代えて、オリジナルオブジェクトが縮小された縮小オリジナルオブジェクトを表示させることとしたので、表示面積を節約しつつ指示対象のオブジェクトを一目瞭然に判別することができる。
【００７４】
また、本発明は、オリジナルオブジェクトを表示装置の画面に対して所定角度回転させ、該オリジナルオブジェクトに比べて表示面積が小とされた小面積オブジェクトを生成する生成手段と、前記小面積オブジェクトを前記表示装置に表示させる小面積オブジェクト表示手段と、を備えたことを特徴とする。
【００７５】
本発明によれば、オリジナルオブジェクトを表示装置の画面に対して所定角度回転させ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができる。
【００７６】
また、本発明は、上記発明において、前記生成手段は、前記オリジナルオブジェクトにおける各辺のうち少なくとも一辺と、前記小面積オブジェクトにおける各辺のうち少なくとも一辺とが同長となるように、該小面積オブジェクトを生成することを特徴とする。
【００７７】
この発明によれば、オリジナルオブジェクトにおける各辺のうち少なくとも一辺と、小面積オブジェクトにおける各辺のうち少なくとも一辺とが同長となるように、小面積オブジェクトを生成することとしたので、従来のように縦横サイズが縮小された縮小オブジェクトに比べて、小面積オブジェクトを容易に判別することができる。
【００７８】
また、本発明は、上記発明において、前記生成手段は、前記小面積オブジェクトをさらに前記表示装置の前記画面において所定角度回転させることを特徴とする。
【００７９】
この発明によれば、小面積オブジェクトをさらに表示装置の画面において所定角度回転させることとしたので、例えば、小面積オブジェトの縦サイズ（または横サイズ）が小さくなり、表示装置の画面における縦方向（または横方向）に表示可能領域を増やすことができ、さらに小面積オブジェクトを効率的に表示させることができる。
【００８０】
また、本発明は、上記発明において、前記生成手段は、複数のオリジナルオブジェクトを前記表示装置の前記画面に対して異なる角度で回転させ、対応するオリジナルオブジェクトに比べて前記表示面積が小とされた複数の小面積オブジェクトを生成することを特徴とする。
【００８１】
この発明によれば、複数のオリジナルオブジェクトを表示装置の画面に対して異なる角度で回転させ、対応するオリジナルオブジェクトに比べて表示面積が小とされた複数の小面積オブジェクトを生成することとしたので、表示にバリエーションを持たせることができる。
【００８２】
また、本発明は、上記発明において、前記生成手段は、前記オリジナルオブジェクトを前記表示装置の前記画面に対して、縦方向の軸を中心として所定角度回転させることを特徴とする。
【００８３】
この発明によれば、オリジナルオブジェクトを表示装置の画面に対して、縦方向の軸を中心として所定角度回転させることとしたので、横サイズが小さくなり、小面積オブジェクトを横方向に多数並べて効率的に表示させることができる。
【００８４】
また、本発明は、上記発明において、前記生成手段は、前記オリジナルオブジェクトを前記表示装置の前記画面に対して、横方向の軸を中心として所定角度回転させることを特徴とする。
【００８５】
この発明によれば、オリジナルオブジェクトを表示装置の画面に対して、横方向の軸を中心として所定角度回転させることとしたので、縦サイズが小さくなり、小面積オブジェクトを縦方向に多数並べて効率的に表示させることができる。
【００８６】
また、本発明は、オリジナルオブジェクトを所定角度で折り曲げ、該オリジナルオブジェクトに比べて表示面積が小とされた小面積オブジェクトを生成する生成手段と、前記小面積オブジェクトを表示装置に表示させる小面積オブジェクト表示手段と、を備えたことを特徴とする。
【００８７】
この発明によれば、オリジナルオブジェクトを所定角度で折り曲げ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができる。
【００８８】
また、本発明は、上記発明において、前記生成手段は、前記オリジナルオブジェクトの複数箇所を所定角度で折り曲げることを特徴とする。
【００８９】
この発明によれば、オリジナルオブジェクトの複数箇所を所定角度で折り曲げることとしたので、さらに表示面積が小さくなり、小面積オブジェクトをさらに効率的に表示装置に表示させることができる。
【００９０】
また、本発明は、オリジナルオブジェクトを所定曲率で曲げ、該オリジナルオブジェクトに比べて表示面積が小とされた小面積オブジェクトを生成する生成手段と、前記小面積オブジェクトを表示装置に表示させる小面積オブジェクト表示手段と、を備えたことを特徴とする。
【００９１】
この発明によれば、オリジナルオブジェクトを所定曲率で曲げ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができる。
【００９２】
また、本発明は、オリジナルオブジェクトの横サイズを所定の縮小率で縮小し、該オリジナルオブジェクトに比べて表示面積が小とされた小面積オブジェクトを生成する生成手段と、前記小面積オブジェクトを表示装置に表示させる小面積オブジェクト表示手段と、を備えた事を特徴とする。
【００９３】
この発明によれば、オリジナルオブジェクトの横サイズを所定の縮小率で縮小し、オリジナルオブジェクトに比べて表示面積が小とされた小面積オブジェクトを生成し、小面積オブジェクトを表示装置に表示させることとしたので、小面積オブジェクトを横方向に多数並べて効率的に表示させることができる。
【００９４】
また、本発明は、オリジナルオブジェクトの縦サイズを所定の縮小率で縮小し、該オリジナルオブジェクトに比べて表示面積が小とされた小面積オブジェクトを生成する生成手段と、前記小面積オブジェクトを表示装置に表示させる小面積オブジェクト表示手段と、を備えたことを特徴とする。
【００９５】
この発明によれば、オリジナルオブジェクトの縦サイズを所定の縮小率で縮小し、オリジナルオブジェクトに比べて表示面積が小とされた小面積オブジェクトを生成し、小面積オブジェクトを表示装置に表示させることとしたので、小面積オブジェクトを縦方向に多数並べて効率的に表示させることができる。
【００９６】
また、本発明は、上記発明において、前記生成手段は、前記小面積オブジェクトの横サイズをさらに所定の縮小率で縮小することを特徴とする。
【００９７】
この発明によれば、小面積オブジェクトの横サイズをさらに所定の縮小率で縮小することとしたので、小面積オブジェクトを横方向にさらに多数並べて効率的に表示させることができる。
【００９８】
また、本発明は、上記発明において、前記生成手段は、前記小面積オブジェクトの縦サイズをさらに所定の縮小率で縮小することを特徴とする。
【００９９】
この発明によれば、小面積オブジェクトの縦サイズをさらに所定の縮小率で縮小することとしたので、小面積オブジェクトを縦方向にさらに多数並べて効率的に表示させることができる。
【０１００】
また、本発明は、上記発明において、前記表示装置に表示されている前記小面積オブジェクトが指示された場合、該小面積オブジェクトに代えて、前記オリジナルオブジェクトを表示させるオリジナルオブジェクト表示手段、を備えたことを特徴とする。
【０１０１】
この発明によれば、小面積オブジェクトが指示された場合、小面積オブジェクトに代えて、オリジナルオブジェクトを表示させることとしたので、指示対象のオブジェクトを一目瞭然に判別することができる。
【０１０２】
また、本発明は、上記発明において、前記オリジナルオブジェクト表示手段は、前記表示装置に表示されている前記小面積オブジェクトが指示された場合、該小面積オブジェクトに代えて、前記オリジナルオブジェクトを強調表示させることを特徴とする。
【０１０３】
この発明によれば、表示装置に表示されている小面積オブジェクトが指示された場合、該小面積オブジェクトに代えて、オリジナルオブジェクトを強調表示させることとしたので、指示対象のオブジェクトをさらに一目瞭然に判別することができる。
【０１０４】
また、本発明は、上記発明において、前記オリジナルオブジェクト表示手段は、前記表示装置に表示されている前記小面積オブジェクトが指示された場合、該小面積オブジェクトに代えて、前記オリジナルオブジェクトが縮小された縮小オリジナルオブジェクトを表示させることを特徴とする。
【０１０５】
この発明によれば、表示装置に表示されている小面積オブジェクトが指示された場合、該小面積オブジェクトに代えて、オリジナルオブジェクトが縮小された縮小オリジナルオブジェクトを表示させることとしたので、表示面積を節約しつつ指示対象のオブジェクトを一目瞭然に判別することができる。
【発明の効果】
【０１０６】
本発明によれば、オリジナルオブジェクトを表示装置の画面に対して所定角度回転させ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができるという効果を奏する。
【０１０７】
また、本発明によれば、オリジナルオブジェクトにおける各辺のうち少なくとも一辺と、小面積オブジェクトにおける各辺のうち少なくとも一辺とが同長となるように、小面積オブジェクトを生成することとしたので、従来のように縦横サイズが縮小された縮小オブジェクトに比べて、小面積オブジェクトを容易に判別することができるという効果を奏する。
【０１０８】
また、本発明によれば、小面積オブジェクトをさらに表示装置の画面において所定角度回転させることとしたので、例えば、小面積オブジェトの縦サイズ（または横サイズ）が小さくなり、表示装置の画面における縦方向（または横方向）に表示可能領域を増やすことができ、さらに小面積オブジェクトを効率的に表示させることができるという効果を奏する。
【０１０９】
また、本発明によれば、複数のオリジナルオブジェクトを表示装置の画面に対して異なる角度で回転させ、対応するオリジナルオブジェクトに比べて表示面積が小とされた複数の小面積オブジェクトを生成することとしたので、表示にバリエーションを持たせることができるという効果を奏する。
【０１１０】
また、本発明によれば、オリジナルオブジェクトを表示装置の画面に対して、縦方向の軸を中心として所定角度回転させることとしたので、横サイズが小さくなり、小面積オブジェクトを横方向に多数並べて効率的に表示させることができるという効果を奏する。
【０１１１】
また、本発明によれば、オリジナルオブジェクトを表示装置の画面に対して、横方向の軸を中心として所定角度回転させることとしたので、縦サイズが小さくなり、小面積オブジェクトを縦方向に多数並べて効率的に表示させることができるという効果を奏する。
【０１１２】
また、本発明によれば、オリジナルオブジェクトを所定角度で折り曲げ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができるという効果を奏する。
【０１１３】
また、本発明によれば、オリジナルオブジェクトの複数箇所を所定角度で折り曲げることとしたので、さらに表示面積が小さくなり、小面積オブジェクトをさらに効率的に表示装置に表示させることができるという効果を奏する。
【０１１４】
また、本発明によれば、オリジナルオブジェクトを所定曲率で曲げ、オリジナルオブジェクトに比べて表示面積が小とされた小面積オブジェクトを生成し、小面積オブジェクトを表示装置に表示させることとしたので、表示装置に小面積オブジェクトを効率的に表示させ、従来のように縦横サイズが縮小された縮小オブジェクトに比べて、小面積オブジェクトを容易に判別することができるという効果を奏する。
【０１１５】
また、本発明によれば、オリジナルオブジェクトの横サイズを所定の縮小率で縮小し、オリジナルオブジェクトに比べて表示面積が小とされた小面積オブジェクトを生成し、小面積オブジェクトを表示装置に表示させることとしたので、小面積オブジェクトを横方向に多数並べて効率的に表示させることができるという効果を奏する。
【０１１６】
また、本発明によれば、オリジナルオブジェクトの縦サイズを所定の縮小率で縮小し、オリジナルオブジェクトに比べて表示面積が小とされた小面積オブジェクトを生成し、小面積オブジェクトを表示装置に表示させることとしたので、小面積オブジェクトを縦方向に多数並べて効率的に表示させることができるという効果を奏する。
【０１１７】
また、本発明によれば、小面積オブジェクトの横サイズをさらに所定の縮小率で縮小することとしたので、小面積オブジェクトを横方向にさらに多数並べて効率的に表示させることができるという効果を奏する。
【０１１８】
また、本発明によれば、小面積オブジェクトの縦サイズをさらに所定の縮小率で縮小することとしたので、小面積オブジェクトを縦方向にさらに多数並べて効率的に表示させることができるという効果を奏する。
【０１１９】
また、本発明によれば、小面積オブジェクトが指示された場合、小面積オブジェクトに代えて、オリジナルオブジェクトを表示させることとしたので、指示対象のオブジェクトを一目瞭然に判別することができるという効果を奏する。
【０１２０】
また、本発明によれば、表示装置に表示されている小面積オブジェクトが指示された場合、該小面積オブジェクトに代えて、オリジナルオブジェクトを強調表示させることとしたので、指示対象のオブジェクトをさらに一目瞭然に判別することができるという効果を奏する。
【０１２１】
また、本発明によれば、表示装置に表示されている小面積オブジェクトが指示された場合、該小面積オブジェクトに代えて、オリジナルオブジェクトが縮小された縮小オリジナルオブジェクトを表示させることとしたので、表示面積を節約しつつ指示対象のオブジェクトを一目瞭然に判別することができるという効果を奏する。
【発明を実施するための最良の形態】
【０１２２】
以下に、本発明にかかる表示制御プログラム、表示制御方法および表示制御装置の一実施例を図面に基づいて詳細に説明する。なお、この一実施例によりこの発明が限定されるものではない。
【実施例】
【０１２３】
図１は、本発明にかかる一実施例の構成を示すブロック図である。同図において、表示制御装置１０は、表示装置３０に画像（静止画像、動画像等）やアイコン等のオブジェクトを表示する際の制御を行うためのコンピュータ装置であり、入力装置２０および表示装置３０が接続されている。入力装置２０は、キーボード、マウス等であり、ユーザにより操作される。表示装置３０は、ＬＣＤやＣＲＴ等であり、後述するスキューオブジェクトやオリジナルオブジェクトを表示する。ここで、スキューオブジェクトとは、表示装置３０の画面に対して、斜め（スキュー）に表示されるオブジェクトをいう。
【０１２４】
表示制御装置１０において、制御部１１は、表示制御装置１０の各部を制御する。この制御部１１の動作の詳細については、後述する。メモリ１２は、制御部１１で用いられるデータ、ファイル等を一時的に保存する。ＨＤＤ（ハードディスクドライブ）１３は、大容量の記憶装置であり、オペレーティングシステム、アプリケーションプログラム、各種データ、ファイル等を記憶する。
【０１２５】
ここで、ＨＤＤ１３には、図２に示した複数のオリジナルオブジェクト４０1〜４０7等が記憶されている。これらのオリジナルオブジェクト４０1〜４０7は、画像（静止画像、動画像）やアイコン等のデータファイルである。
【０１２６】
また、オリジナルオブジェクト４０1〜４０7は、表示装置３０に表示される際に、縦サイズがＨ１、横サイズがＷ１とされている。
【０１２７】
可搬型記録媒体ドライブ１４は、ＣＤ−ＲＯＭ（Compact Disc Read Only Memory）、光ディスク等の可搬型記録媒体からデータを読み出す機能を備えている。入出力インタフェース１５は、入力装置２０および表示装置３０に接続されており、制御部１１と、入力装置２０および表示装置３０との間の入出力のインタフェースをとる。
【０１２８】
つぎに、一実施例の動作について、図２〜図５を参照しつつ、説明する。図３は、一実施例の動作を説明するフローチャートである。同図に示したステップＳＡ１では、制御部１１は、ユーザからオブジェクトの表示指示があるか否かを判断し、この場合、判断結果を「Ｎｏ」として、同判断を繰り返す。
【０１２９】
そして、ユーザが入力装置２０を操作して、例えば、所望のオブジェクトの表示を指示すると、制御部１１は、ステップＳＡ１の判断結果を「Ｙｅｓ」とする。ステップＳＡ２では、制御部１１は、ＨＤＤ１３から、例えば、図２に示したオリジナルオブジェクト４０1〜４０7を読み出す。
【０１３０】
ステップＳＡ３では、制御部１１は、図２に示したように、オリジナルオブジェクト４０1〜４０7からスキューオブジェクト４５1〜４５7を生成する。
【０１３１】
具体的には、制御部１１は、オリジナルオブジェクト４０1を、左辺の縦サイズＨ１を保持した状態で、同図縦方向の中心線Ｊ１を軸として紙面（表示装置３０の画面）に対して、反時計回りに角度θ１（固定）回転させ、かつ奥行きに応じて右辺を短くし、スキューオブジェクト４５1を生成する。なお、制御部１１は、スキューオブジェクト４５1と同様の過程を経てスキューオブジェクト４５2〜４５7を生成する。
【０１３２】
スキューオブジェクト４５1は、紙面（表示装置３０の画面）に対して、オリジナルオブジェクト４０1を角度θ１だけ奥行きを持たせて斜め（スキュー）に表示されるオブジェクトであり、幅サイズがＷ１’（＜Ｗ１）とされている。
【０１３３】
同図からわかるように、スキューオブジェクト４５1は、オリジナルオブジェクト４０1に比して、表示面積がおよそ３分の１以下とされている。さらに、スキューオブジェクト４５1は、縦サイズＨ１がオリジナルオブジェクト４０1と同一であるため、例えば、縮小オブジェクト３1（図２４参照）に比して、判別しやすいという特徴を有している。
【０１３４】
なお、一実施例においては、図２に示した角度θ１を、可変としてもよい。この場合、所定角度θ１（但し、０°≦θ１≦９０°）は、スキューオブジェクト４５1の表示面積に反比例する。すなわち、所定角度θ１を大きくするほど、スキューオブジェクト４５1の表示面積が小さくなる。
【０１３５】
また、一実施例においては、オリジナルオブジェクト４０1を反時計回りに角度θ１回転させて、スキューオブジェクト４５1を生成する例について説明したが、オリジナルオブジェクト４０1を時計回りに角度θ１回転させて、スキューオブジェクト４５1を生成してもよい。
【０１３６】
この場合には、スキューオブジェクト４５1の右辺が、オリジナルオブジェクト４０1の右辺と同じ縦サイズＨ１とされ、スキューオブジェクト４５1の左辺が奥行きを持たせて短くされる。
【０１３７】
そして、制御部１１は、生成したスキューオブジェクト４５1〜４５7をメモリ１２に保存する。
【０１３８】
図３に示したステップＳＡ４では、制御部１１は、メモリ１２に保存されているスキューオブジェクト４５1〜４５7を読み出し、これらを図４に示したように、横方向に並べて表示する。ステップＳＡ５では、制御部１１は、カーソル３０Ｃがスキューオブジェクト（スキューオブジェクト４５1〜４５7のうちいずれか一つ）の上にあるか否かを判断する。
【０１３９】
ここで、ユーザが、スキューオブジェクト４５4を指示すべく、入力装置２０（マウス）を操作して、カーソル３０Ｃをスキューオブジェクト４５4の上に移動させると、制御部１１は、ステップＳＡ５の判断結果を「Ｙｅｓ」とする。なお、ステップＳＡ５の判断結果が「Ｎｏ」である場合、処理が終了される。
【０１４０】
ステップＳＡ６では、制御部１１は、図５に示したように、カーソル３０Ｃにより指示されたスキューオブジェクト４５4に代えて、これに対応するオリジナルオブジェクト４０4（図２参照）を表示装置３０に表示させる。
【０１４１】
これにより、表示装置３０においては、ユーザに指定されたオリジナルオブジェクト４０4が、他のスキューオブジェクト４５1〜４５3およびスキューオブジェクト４５5〜４５7に比して一目瞭然に表示される。
【０１４２】
また、オリジナルオブジェクト４０4は、他のスキューオブジェクト４５1〜４５3およびスキューオブジェクト４５5〜４５7に比して表示面積が大きいため、十分に判別することが可能とされる。
【０１４３】
なお、一実施例においては、表示指示があってから、オリジナルオブジェクト４０1〜４０7からスキューオブジェクト４５1〜４５7を生成する構成例について説明したが、これらを予め生成しておきＨＤＤ１３に保存する構成例としてもよい。この場合には、表示指示があると、制御部１１は、スキューオブジェクト４５1〜４５7をＨＤＤ１３から読み出し、表示装置３０に表示させる。
【０１４４】
以上説明したように、一実施例によれば、図２に示したように、オリジナルオブジェクト４０1〜４０7を表示装置３０の画面（紙面）に対して角度θ１回転させ、オリジナルオブジェクト４０1〜４０7に比べて表示面積が小とされたスキューオブジェクト４５1〜４５7を生成し、スキューオブジェクト４５1〜４５7を表示装置３０に表示（図４参照）させることとしたので、表示装置３０にスキューオブジェクト４５1〜４５7を効率的に表示させ、従来のように縦横サイズが縮小された縮小オブジェクトに比べて、スキューオブジェクト４５1〜４５7を容易に判別することができる。
【０１４５】
特に、一実施例は、携帯電話機、ＰＤＡ、ＰＨＳ等のように表示画面の面積が小さい携帯端末におけるオブジェクトの表示に対して、効率上、顕著な効果を奏する。また、一実施例をインターネットショッピングサイトに適用した場合には、商品点数を絞り込むことなく、一画面に効率的に商品画像等を表示させることができる。
【０１４６】
また、一実施例によれば、図２に示したように、オリジナルオブジェクト４０1〜４０7における各辺のうち少なくとも一辺（同図では左辺）と、スキューオブジェクト４５1〜４５7における各辺のうち少なくとも一辺（同図では左辺）とが同長となるように、スキューオブジェクト４５1〜４５7を生成することとしたので、従来のように縦横サイズが縮小された縮小オブジェクトに比べて、スキューオブジェクト４５1〜４５7を容易に判別することができる。
【０１４７】
また、一実施例によれば、図４に示したスキューオブジェクト４５4がカーソル３０Ｃにより指示された場合、スキューオブジェクト４５4に代えて、図５に示したオリジナルオブジェクト４０4を表示させることとしたので、指示対象のオブジェクトを一目瞭然に判別することができる。
【０１４８】
また、一実施例によれば、オリジナルオブジェクト４０1〜４０7を表示装置３０の画面に対して、縦方向の中心軸Ｊ１を中心として角度θ１回転させることとしたので、横サイズが小さくなり、スキューオブジェクト４５1〜４５7を横方向に多数並べて効率的に表示させることができる。
【０１４９】
（変形例１）
さて、前述した一実施例（図５参照）においては、オリジナルオブジェクト４０1〜４０7から、同一方向（例えば、反時計回り）に角度θ１だけ回転されたスキューオブジェクト４５1〜４５7を生成し、これらを表示する構成例について説明したが、一実施例の変形例１として、図６に示したように、一部を反時計回りに回転させ、残りを時計回りに回転させる構成例としてもよい。
【０１５０】
図６は、一実施例の変形例１を説明する図であり、図５に対応している。同図において、表示装置３０には、３つのオリジナルオブジェクト（図示略）が反時計回りに角度θ１だけ回転されたスキューオブジェクト５５1〜５５3と、カーソル３０Ｃによる指示に応じたオリジナルオブジェクト５０4と、３つのオリジナルオブジェクト（図示略）が時計回りに角度θ１だけ回転されたスキューオブジェクト５５5〜５５7とが表示されている。
【０１５１】
（変形例２）
また、前述した一実施例（図５参照）においては、オリジナルオブジェクト４０1〜４０7から、反時計回り（または時計回り）に角度θ１だけ回転され、右辺と左辺との長さに差をつけて奥行きを持たせたスキューオブジェクト４５1〜４５7を生成し、これらを表示する構成例について説明したが、一実施例の変形例２として、図７に示したように、スキューオブジェクトの右辺と左辺との長さが同一となるような構成例としてもよい。
【０１５２】
図７は、一実施例の変形例２を説明する図であり、図５に対応している。同図において、表示装置３０には、３つのオリジナルオブジェクト（図示略）が反時計回りに角度θ１だけ回転されかつ右辺と左辺とが同長とされたスキューオブジェクト６５1〜６５3と、カーソル３０Ｃによる指示に応じたオリジナルオブジェクト６０4と、３つのオリジナルオブジェクト（図示略）が反時計回りに角度θ１だけ回転されかつ右辺と左辺とが同長とされたスキューオブジェクト６５5〜６５7とが表示されている。
【０１５３】
以上説明したように、一実施例の変形例２によれば、従来のように縦横サイズが縮小された縮小オブジェクトに比べて、スキューオブジェクト４５1〜４５7を容易に判別することができる。
【０１５４】
（変形例３）
また、前述した一実施例の変形例２（図７参照）においては、カーソル３０Ｃにより指示されたスキューオブジェクト（図示略）に代えて、オリジナルオブジェクト６０4を表示させる構成例について説明したが、図８に示したように、オリジナルオブジェクト６０4よりも縦サイズおよび横サイズが小さい縮小オブジェクト６０4’を生成し、これを表示させる構成例としてもよい。
【０１５５】
図８は、一実施例の変形例３を説明する図であり、図７に対応している。同図において、表示装置３０には、３つのオリジナルオブジェクト（図示略）が反時計回りに角度θ１だけ回転されかつ右辺と左辺とが同長とされたスキューオブジェクト６５1〜６５3と、カーソル３０Ｃによる指示に応じた縮小オブジェクト６０4’と、３つのオリジナルオブジェクト（図示略）が反時計回りに角度θ１だけ回転されかつ右辺と左辺とが同長とされたスキューオブジェクト６５5〜６５7とが表示されている。
【０１５６】
以上説明したように、一実施例の変形例３によれば、表示装置３０に表示されているスキューオブジェクトがカーソル３０Ｃにより指示された場合、スキューオブジェクトに代えて、オリジナルオブジェクトが縮小された縮小オブジェクト６０4’を表示させることとしたので、表示面積を節約しつつ指示対象のオブジェクトを一目瞭然に判別することができる。
【０１５７】
（変形例４）
また、前述した一実施例の変形例２（図７参照）においては、カーソル３０Ｃにより指示されたスキューオブジェクト（図示略）に代えて、オリジナルオブジェクト６０4を表示させる構成例について説明したが、図９に示したように、強調表示用の太枠６０a4’’（色付き）が付いたオリジナルオブジェクト６０4’’を生成し、これを表示させる構成例としてもよい。
【０１５８】
図９は、一実施例の変形例４を説明する図であり、図７に対応している。同図において、表示装置３０には、３つのオリジナルオブジェクト（図示略）が反時計回りに角度θ１だけ回転されかつ右辺と左辺とが同長とされたスキューオブジェクト６５1〜６５3と、カーソル３０Ｃによる指示に応じたオリジナルオブジェクト６０4’’（太枠６０a4’’付き）と、３つのオリジナルオブジェクト（図示略）が反時計回りに角度θ１だけ回転されかつ右辺と左辺とが同長とされたスキューオブジェクト６５5〜６５7とが表示されている。
【０１５９】
以上説明したように、一実施例の変形例４によれば、表示装置３０に表示されているスキューオブジェクトがカーソル３０Ｃにより指示された場合、スキューオブジェクトに代えて、太枠６０a4’’付きのオリジナルオブジェクト６０4’’を強調表示させることとしたので、指示対象のオブジェクトをさらに一目瞭然に判別することができる。
【０１６０】
（変形例５）
また、前述した一実施例の変形例２（図７参照）においては、カーソル３０Ｃにより指示されたスキューオブジェクト（図示略）に代えて、オリジナルオブジェクト６０4を表示させる構成例について説明したが、図１０に示したように、強調表示用の太枠６０a4’’’および網掛けされたオリジナルオブジェクト６０4’’’を生成し、これを表示させる構成例としてもよい。
【０１６１】
図１０は、一実施例の変形例５を説明する図であり、図７に対応している。同図において、表示装置３０には、３つのオリジナルオブジェクト（図示略）が反時計回りに角度θ１だけ回転されかつ右辺と左辺とが同長とされたスキューオブジェクト６５1〜６５3と、カーソル３０Ｃによる指示に応じたオリジナルオブジェクト６０4’’’（太枠６０a4’’’および網掛け付き）と、３つのオリジナルオブジェクト（図示略）が反時計回りに角度θ１だけ回転されかつ右辺と左辺とが同長とされたスキューオブジェクト６５5〜６５7とが表示されている。
【０１６２】
以上説明したように、一実施例の変形例５によれば、表示装置３０に表示されているスキューオブジェクトがカーソル３０Ｃにより指示された場合、スキューオブジェクトに代えて、太枠６０a4’’’および網掛け付きのオリジナルオブジェクト６０4’’’を強調表示させることとしたので、指示対象のオブジェクトをさらに一目瞭然に判別することができる。
【０１６３】
（変形例６）
また、前述した一実施例の変形例２（図７参照）においては、スキューオブジェクト６５1〜６５7おける回転角度を同一の角度θ１とした構成例について説明したが、図１１に示したように、例えば、カーソル３０Ｃにより指示されたオリジナルオブジェクト７０4（表示装置３０の中央部）に近いほどスキューオブジェクトを回転させる角度θ１を小さく（スキューオブジェクトの表示面積を大きく）し、逆に離れるほど回転させる角度θ１を大きく（スキューオブジェクトの表示面積を小さく）する構成例としてもよい。
【０１６４】
図１１は、一実施例の変形例６を説明する図であり、図７に対応している。同図において、表示装置３０には、３つのオリジナルオブジェクト（図示略）が反時計回りに角度θ１（但し、角度θ１は、スキューオブジェクト７５1＞スキューオブジェクト７５2＞スキューオブジェクト７５3）だけ回転されかつ右辺と左辺とが同長とされたスキューオブジェクト７５1〜７５3と、カーソル３０Ｃによる指示に応じたオリジナルオブジェクト７０4と、３つのオリジナルオブジェクト（図示略）が反時計回りに角度θ１（但し、角度θ１は、スキューオブジェクト７５7＞スキューオブジェクト７５6＞スキューオブジェクト７５5）だけ回転されかつ右辺と左辺とが同長とされたスキューオブジェクト７５5〜７５7とが表示されている。
【０１６５】
以上説明したように、一実施例の変形例６によれば、複数のオリジナルオブジェクトを表示装置３０の画面に対して異なる角度で回転させ、対応するオリジナルオブジェクトに比べて表示面積が小とされた複数のスキューオブジェクト７５1〜７５7を生成することとしたので、表示にバリエーションを持たせることができる。
【０１６６】
（変形例７）
また、前述した一実施例の変形例２（図７参照）においては、スキューオブジェクト６５1〜６５7を垂直に並べて表示させる構成例について説明したが、図１２に示したように、スキューオブジェクト８５1〜８５7を、垂直線Ｊ２に対して、表示装置３０の画面において角度θ２だけ回転させる構成例としてもよい。
【０１６７】
図１２は、一実施例の変形例７を説明する図であり、図７に対応している。同図において、表示装置３０には、３つのスキューオブジェクト６５1〜６５3（図７参照）が垂直線Ｊ２に対して、表示装置３０の画面において角度θ２だけ回転されたスキューオブジェクト８５1〜８５3と、カーソル３０Ｃによる指示に応じたオリジナルオブジェクト８０4と、３つのスキューオブジェクト６５5〜６５7が垂直線Ｊ２に対して、表示装置３０の画面において角度θ２だけ回転されたスキューオブジェクト８５5〜８５7とが表示されている。
【０１６８】
以上説明したように、一実施例の変形例７によれば、スキューオブジェクトをさらに表示装置３０の画面において角度θ２回転させることとしたので、例えば、スキューオブジェト８５1〜８５7の縦サイズが小さくなり、表示装置３０の画面における縦方向に表示可能領域を増やすことができ、さらにスキューオブジェクトを効率的に表示させることができる。
【０１６９】
（変形例８）
また、前述した一実施例（図５参照）においては、複数のオリジナルオブジェクトを角度θ１回転させたスキューオブジェクト４５1〜４５7を並べて表示させる構成例について説明したが、図１３に示したように、複数のオリジナルオブジェクトを折り曲げ線から所定の角度（固定または可変）、山折り（または谷折り）した折り曲げオブジェクトを生成し、表示する構成例としてもよい。
【０１７０】
図１３は、一実施例の変形例８を説明する図であり、図５に対応している。同図において、表示装置３０には、３つのオリジナルオブジェクトが折り曲げ線Ｊ３から角度θ３だけ山折りされた折り曲げオブジェクト９５1〜９５3と、カーソル３０Ｃによる指示に応じたオリジナルオブジェクト９０4と、３つのオリジナルオブジェクトが折り曲げ線Ｊ３から角度θ３だけ山折りされた折り曲げオブジェクト９５5〜９５7とが表示されている。
【０１７１】
以上説明したように、一実施例の変形例８によれば、オリジナルオブジェクトを角度θ３で折り曲げ、オリジナルオブジェクトに比べて表示面積が小とされた折り曲げオブジェクト９５1〜９５7を生成し、折り曲げオブジェクト９５1〜９５7を表示装置３０に表示させることとしたので、表示装置３０に折り曲げオブジェクト９５1〜９５7を効率的に表示させ、従来のように縦横サイズが縮小された縮小オブジェクトに比べて、折り曲げオブジェクト９５1〜９５7を容易に判別することができる。
【０１７２】
（変形例９）
また、前述した一実施例の変形例８（図１３参照）においては、折り曲げオブジェクト９５1〜９５7における山折り（または谷折り）を１つとした構成例について説明したが、図１４に示したように、山折り（または谷折り）を複数とした構成例としてもよい。
【０１７３】
図１４は、一実施例の変形例９を説明する図であり、図１３に対応している。同図において、表示装置３０には、３つのオリジナルオブジェクトが二つの折り曲げ線Ｊ４およびＪ５から角度θ４および角度θ５山折りされた折り曲げオブジェクト１０５1〜１０５3と、カーソル３０Ｃによる指示に応じたオリジナルオブジェクト１００4と、３つのオリジナルオブジェクトが折り曲げ線Ｊ４およびＪ５から角度θ４および角度θ５山折りされた折り曲げオブジェクト１０５5〜１０５7とが表示されている。
【０１７４】
以上説明したように、一実施例の変形例９によれば、オリジナルオブジェクトの複数箇所を角度θ４およびθ５で折り曲げることとしたので、さらに表示面積が小さくなり、折り曲げオブジェクト１０５1〜１０５7をさらに効率的に表示装置３０に表示させることができる。
【０１７５】
（変形例１０）
また、前述した一実施例（図５参照）においては、複数のオリジナルオブジェクトを角度θ１回転させたスキューオブジェクト４５1〜４５7を並べて表示させる構成例について説明したが、図１５に示したように、複数のオリジナルオブジェクトが所定の曲率（固定または可変）で山曲げ（または谷曲げ）で曲げられた曲げオブジェクトを生成し、表示する構成例としてもよい。
【０１７６】
図１５は、一実施例の変形例１０を説明する図であり、図５に対応している。同図において、表示装置３０には、３つのオリジナルオブジェクトが所定の曲率Ｒで山曲げされた曲げオブジェクト１１５1〜１１５3と、カーソル３０Ｃによる指示に応じたオリジナルオブジェクト１１０4と、３つのオリジナルオブジェクトが所定の曲率Ｒで山曲げされた曲げオブジェクト１１５5〜１１５7とが表示されている。
【０１７７】
以上説明したように、一実施例の変形例１０によれば、オリジナルオブジェクトを所定曲率Ｒで曲げ、オリジナルオブジェクトに比べて表示面積が小とされた曲げオブジェクト１１５1〜１１５7を生成し、曲げオブジェクト１１５1〜１１５7を表示装置３０に表示させることとしたので、表示装置３０に曲げオブジェクト１１５1〜１１５7を効率的に表示させ、従来のように縦横サイズが縮小された縮小オブジェクトに比べて、曲げオブジェクト１１５1〜１１５7を容易に判別することができる。
【０１７８】
（変形例１１）
また、前述した一実施例（図５参照）においては、複数のオリジナルオブジェクトを角度θ１回転させたスキューオブジェクト４５1〜４５7を並べて表示させる構成例について説明したが、図１６に示したように、複数のオリジナルオブジェクトを回転させずに、縦サイズを変えずに、横サイズを所定の縮小率で縮小した縮小オブジェクトを生成し、表示する構成例としてもよい。
【０１７９】
図１６は、一実施例の変形例１１を説明する図であり、図５に対応している。同図において、表示装置３０には、３つのオリジナルオブジェクトの横サイズが所定の縮小率で縮小された縮小オブジェクト１２５1〜１２５3と、カーソル３０Ｃによる指示に応じたオリジナルオブジェクト１２０4と、３つのオリジナルオブジェクトの横サイズが所定の縮小率で縮小された縮小オブジェクト１２５5〜１２５7とが表示されている。
【０１８０】
以上説明したように、一実施例の変形例１１によれば、オリジナルオブジェクトの横サイズを所定の縮小率で縮小し、オリジナルオブジェクトに比べて表示面積が小とされた縮小オブジェクト１２５1〜１２５7を生成し、縮小オブジェクト１２５1〜１２５7を表示装置３０に表示させることとしたので、縮小オブジェクト１２５1〜１２５7を横方向に多数並べて効率的に表示させることができる。
【０１８１】
（変形例１２）
また、前述した一実施例の変形例２（図７参照）においては、複数のオリジナルオブジェクトを角度θ１回転させたスキューオブジェクト６５1〜６５7を並べて表示させる構成例について説明したが、図１７に示したように、スキューオブジェクト６５1〜６５7の横サイズを所定の縮小率で縮小し、表示面積をさらに小さくした横サイズ縮小スキューオブジェクトを生成し、表示する構成例としてもよい。
【０１８２】
図１７は、一実施例の変形例１２を説明する図であり、図７に対応している。同図において、表示装置３０には、３つのスキューオブジェクト６５1〜６５3（図７参照）の横サイズを所定の縮小率で縮小し（但し、縦サイズは不変）、表示面積をさらに小さくした横サイズ縮小スキューオブジェクト１３５1〜１３５3と、カーソル３０Ｃによる指示に応じたオリジナルオブジェクト１３０4と、３つのスキューオブジェクト６５5〜６５7（図７参照）の横サイズを所定の縮小率で縮小し（但し、縦サイズは不変）、表示面積をさらに小さくした横サイズ縮小スキューオブジェクト１３５5〜１３５7とが表示されている。
【０１８３】
以上説明したように、一実施例の変形例１２によれば、スキューオブジェクト６５1〜６５7（図７参照）の横サイズをさらに所定の縮小率で縮小することとしたので、横サイズ縮小スキューオブジェクト１３５5〜１３５7を横方向にさらに多数並べて効率的に表示させることができる。
【０１８４】
（変形例１３）
また、前述した一実施例の変形例２（図７参照）においては、複数のオリジナルオブジェクトを角度θ１回転させたスキューオブジェクト６５1〜６５7を並べて表示させる構成例について説明したが、図１８に示したように、スキューオブジェクト６５1〜６５7の縦サイズを所定の縮小率で縮小し、表示面積をさらに小さくした縦サイズ縮小スキューオブジェクトを生成し、表示する構成例としてもよい。
【０１８５】
図１８は、一実施例の変形例１３を説明する図であり、図７に対応している。同図において、表示装置３０には、３つのスキューオブジェクト６５1〜６５3（図７参照）の縦サイズを所定の縮小率で縮小し（但し、横サイズは不変）、表示面積をさらに小さくした縦サイズ縮小スキューオブジェクト１４５1〜１４５3と、カーソル３０Ｃによる指示に応じたオリジナルオブジェクト１４０4と、３つのスキューオブジェクト６５5〜６５7（図７参照）の縦サイズを所定の縮小率で縮小し（但し、横サイズは不変）、表示面積をさらに小さくした縦サイズ縮小スキューオブジェクト１４５5〜１４５7とが表示されている。
【０１８６】
以上説明したように、一実施例の変形例１３によれば、スキューオブジェクト６５1〜６５7（図７参照）の縦サイズをさらに所定の縮小率で縮小することとしたので、縦サイズ縮小スキューオブジェクト１４５1〜１４５7を縦方向にさらに多数並べて効率的に表示させることができる。
【０１８７】
（変形例１４）
また、前述した一実施例（図５参照）においては、複数のオリジナルオブジェクト４０1〜４０7（図２参照）を縦方向の中心線Ｊ１を軸として紙面（表示装置３０の画面）に対して角度θ１回転させ、かつ奥行きに応じて右辺を短くしたスキューオブジェクト４５1〜４５7を生成し、表示させる構成例について説明したが、図１９に示したように、複数のオリジナルオブジェクト４０1〜４０7（図２参照）を横方向の中心線Ｊ６を軸として紙面に対して反時計回り（または時計回り）に角度θ６（固定または可変）回転させ、かつ奥行きに応じて下辺（または上辺）を短くしたスキューオブジェクト１５５1〜１５５7を生成し、表示させる構成例としてもよい。
【０１８８】
図１９は、一実施例の変形例１４を説明する図である。同図において、表示装置３０には、スキューオブジェクト１５５1〜１５５3と、カーソル３０Ｃによる指示に応じたオリジナルオブジェクト１５０4と、スキューオブジェクト１５５5〜１５５7とが表示されている。
【０１８９】
以上説明したように、一実施例の変形例１４によれば、オリジナルオブジェクト４０1〜４０7（図２参照）を表示装置３０の画面に対して、横方向の中心線Ｊ６を中心として角度θ６回転させることとしたので、縦サイズが小さくなり、スキューオブジェクト１５５1〜１５５7を縦方向に多数並べて効率的に表示させることができる。
【０１９０】
（変形例１５）
また、前述した一実施例の変形例１４（図１９参照）においては、オリジナルオブジェクト４０1〜４０7から、反時計回り（または時計回り）に角度θ６だけ回転され、上辺と下辺との長さに差をつけて奥行きを持たせたスキューオブジェクト１５５1〜１５５7を生成し、これらを表示する構成例について説明したが、一実施例の変形例１５として、図２０に示したように、スキューオブジェクトの上辺と下辺との長さが同一となるような構成例としてもよい。
【０１９１】
図２０は、一実施例の変形例１５を説明する図であり、図１９に対応している。同図において、表示装置３０には、３つのオリジナルオブジェクト（図示略）が時計回りに所定角度だけ回転されかつ上辺と下辺とが同長とされたスキューオブジェクト１６５1〜１６５3と、カーソル３０Ｃによる指示に応じたオリジナルオブジェクト１６０4と、３つのオリジナルオブジェクト（図示略）が時計回りに所定角度だけ回転されかつ上辺と下辺とが同長とされたスキューオブジェクト１６５5〜１６５7とが表示されている。
【０１９２】
以上説明したように、一実施例の変形例１５によれば、変形例１４と同様にして、縦サイズが小さくなり、スキューオブジェクト１６５1〜１６５7を縦方向に多数並べて効率的に表示させることができる。
【０１９３】
（変形例１６）
また、前述した一実施例（図５参照）においては、複数のオリジナルオブジェクトを角度θ１回転させたスキューオブジェクト４５1〜４５7を並べて表示させる構成例について説明したが、図２０に示したように、複数のオリジナルオブジェクトを回転させずに、横サイズを変えずに、縦サイズを所定の縮小率で縮小した縮小オブジェクトを生成し、表示する構成例としてもよい。
【０１９４】
図２１は、一実施例の変形例１６を説明する図であり、図５に対応している。同図において、表示装置３０には、３つのオリジナルオブジェクトの縦サイズが所定の縮小率で縮小された縮小オブジェクト１７５1〜１７５3と、カーソル３０Ｃによる指示に応じたオリジナルオブジェクト１７０4と、３つのオリジナルオブジェクトの縦サイズが所定の縮小率で縮小された縮小オブジェクト１７５5〜１７５7とが表示されている。
【０１９５】
以上説明したように、一実施例の変形例１６によれば、複数のオリジナルオブジェクトの縦サイズを所定の縮小率で縮小し、オリジナルオブジェクトに比べて表示面積が小とされた縮小オブジェクト１７５1〜１７５7を生成し、縮小オブジェクト１７５1〜１７５7を表示装置３０に表示させることとしたので、縮小オブジェクト１７５1〜１７５7を縦方向に多数並べて効率的に表示させることができる。
【０１９６】
（変形例１７）
また、前述した一実施例においては、図２に示したオリジナルオブジェクト４０1〜４０7をオリジナルサイズのオブジェクトとした構成例について説明したが、これらのオリジナルオブジェクト４０1〜４０7を、大きいサイズのオブジェクトをサムネイルとして縮小されたオブジェクトとする構成例としてもよい。
【０１９７】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１９８】
例えば、前述した一実施例においては、変形例１８として、図１に示した表示制御装置１０の機能を実現するためのプログラムを図２２に示したコンピュータ読み取り可能な記録媒体２００に記録して、この記録媒体２００に記録されたプログラムを同図に示したコンピュータ３００に読み込ませ、実行することにより各機能を実現してもよい。
【０１９９】
同図に示したコンピュータ３００は、上記プログラムを実行するＣＰＵ（Central Processing Unit）３１０と、キーボード、マウス等の入力装置３２０と、各種データを記憶するＲＯＭ（Read Only Memory）３３０と、演算パラメータ等を記憶するＲＡＭ（Random Access Memory）３４０と、記録媒体２００からプログラムを読み取る読取装置３５０と、ディスプレイ、プリンタ等の出力装置３６０と、から構成されている。
【０２００】
ＣＰＵ３１０は、読取装置３５０を経由して記録媒体２００に記録されているプログラムを読み込んだ後、プログラムを実行することにより、前述した機能を実現する。なお、記録媒体２００としては、光ディスク、フレキシブルディスク、ハードディスク等が挙げられる。
【０２０１】
また、前述した一実施例においては、複数の変形例等について開示したが、開示された内容を複数組み合わせたものも本発明に含まれる。
【産業上の利用可能性】
【０２０２】
以上のように、本発明にかかる表示制御プログラム、表示制御方法および表示制御装置は、画像やアイコン等のオブジェクトの表示に対して有用である。
【図面の簡単な説明】
【０２０３】
【図１】本発明にかかる一実施例の構成を示すブロック図である。
【図２】同一実施例におけるオリジナルオブジェクト４０1〜４０7およびスキューオブジェクト４５1〜４５7を示す図である。
【図３】同一実施例の動作を説明するフローチャートである。
【図４】同一実施例におけるスキューオブジェクト４５1〜４５7の表示例を示す図である。
【図５】同一実施例の表示例を示す図である。
【図６】同一実施例の変形例１を説明する図である。
【図７】同一実施例の変形例２を説明する図である。
【図８】同一実施例の変形例３を説明する図である。
【図９】同一実施例の変形例４を説明する図である。
【図１０】同一実施例の変形例５を説明する図である。
【図１１】同一実施例の変形例６を説明する図である。
【図１２】同一実施例の変形例７を説明する図である。
【図１３】同一実施例の変形例８を説明する図である。
【図１４】同一実施例の変形例９を説明する図である。
【図１５】同一実施例の変形例１０を説明する図である。
【図１６】同一実施例の変形例１１を説明する図である。
【図１７】同一実施例の変形例１２を説明する図である。
【図１８】同一実施例の変形例１３を説明する図である。
【図１９】同一実施例の変形例１４を説明する図である。
【図２０】同一実施例の変形例１５を説明する図である。
【図２１】同一実施例の変形例１６を説明する図である。
【図２２】同一実施例の変形例１８の構成を示すブロック図である。
【図２３】従来の表示制御装置における表示例１を示す図である。
【図２４】従来の表示制御装置における表示例２を示す図である。
【符号の説明】
【０２０４】
１０  表示制御装置
１１  制御部
１２  メモリ
１３  ＨＤＤ
３０  表示装置
【図１】
2005190108.tif 000003
【図２】
2005190108.tif 000004
【図３】
2005190108.tif 000005
【図４】
2005190108.tif 000006
【図５】
2005190108.tif 000007
【図６】
2005190108.tif 000008
【図７】
2005190108.tif 000009
【図８】
2005190108.tif 000010
【図９】
2005190108.tif 000011
【図１０】
2005190108.tif 000012
【図１１】
2005190108.tif 000013
【図１２】
2005190108.tif 000014
【図１３】
2005190108.tif 000015
【図１４】
2005190108.tif 000016
【図１５】
2005190108.tif 000017
【図１６】
2005190108.tif 000018
【図１７】
2005190108.tif 000019
【図１８】
2005190108.tif 000020
【図１９】
2005190108.tif 000021
【図２０】
2005190108.tif 000022
【図２１】
2005190108.tif 000023
【図２２】
2005190108.tif 000024
【図２３】
2005190108.tif 000025
【図２４】
2005190108.tif 000026